(57)【要約】【課題】  移動通信端末における着信失敗を回避させ、ユーザの利便性を向上させる。【解決手段】  パケット中継装置が、移動通信端末に対して送信した呼出信号に対する呼出応答信号を受信した場合に、この呼出応答信号に含まれる移動通信端末側で管理されているセッション状態と、パケット中継装置で管理しているセッション状態とに基づいて、双方のセッション状態が不一致であり、かつ、移動通信端末側のセッション状態が確立状態であるか否かを判定する。この判定で、双方のセッション状態が不一致であり、かつ、移動通信端末側で管理されているセッション状態が確立状態であると判定した場合に、移動通信端末に対してセッション解放指示信号を送信し、その後呼出信号を再送信する。【選択図】  図１
2007208517.tif 000002
【特許請求の範囲】
【請求項１】
移動通信端末におけるパケット通信を中継するパケット中継装置であって、
前記移動通信端末との間のセッション状態を管理する端末状態管理手段と、
前記移動通信端末に対して送信した呼出信号に対する呼出応答信号を受信する受信手段と、
前記受信手段により受信された前記呼出応答信号に含まれる前記移動通信端末側で管理されている前記セッション状態と、前記端末状態管理手段により管理されている前記セッション状態とに基づいて、双方の前記セッション状態が不一致であり、かつ、前記移動通信端末側の前記セッション状態が確立状態であるか否かを判定する判定手段と、
前記判定手段により、双方の前記セッション状態が不一致であり、かつ、前記移動通信端末側で管理されている前記セッション状態が確立状態であると判定された場合に、前記移動通信端末に対してセッション解放指示信号を送信する送信手段と、
前記送信手段により前記セッション解放指示信号が送信された後に、前記呼出信号を再送信する再送信手段と、
を備えることを特徴とするパケット中継装置。
【請求項２】
前記呼出応答信号には、前記再送信手段により再送信された前記呼出信号に対する呼出応答信号も含むことを特徴とする請求項１記載のパケット中継装置。
【請求項３】
前記判定手段により、双方の前記セッション状態が一致する、または、前記移動通信端末側で管理されている前記セッション状態が未確立状態であると判定された場合に、不一致カウンタをカウントアップするカウントアップ手段をさらに備え、
前記判定手段は、双方の前記セッション状態が不一致であり、かつ、前記移動通信端末側で管理されている前記セッション状態が確立状態であると判定した場合に、さらに、前記カウントアップ手段によりカウントアップされた前記不一致カウンタの値が、所定の閾値未満であるか否かを判定し、
前記送信手段は、前記判定手段により前記不一致カウンタの値が所定の閾値未満であると判定された場合にのみ、前記セッション解放指示信号を送信することを特徴とする請求項２記載のパケット中継装置。
【発明の詳細な説明】
【技術分野】
【０００１】
本発明は、パケット中継装置に関するものである。
【背景技術】
【０００２】
移動通信端末が、移動体通信網の外部にあるネットワーク上のサーバを介してパケット通信を行う場合には、移動通信端末とサーバとの間で各種のデータリンクを確立する必要がある。具体的に説明すると、移動通信網が、例えば、３ＧＰＰ（3rd Generation Partnership Project）のＴＳ２３．０６０規格に基づくＧＰＲＳ（General Packet RadioService）を採用している場合に、移動通信端末は、移動体通信網のＳＧＳＮ（Serving GPRS Support Node）との間で無線コネクションを確立し、さらに、サーバとの間で無線コネクションの上位レイヤであるセッションを確立する必要がある（例えば、下記非特許文献１参照）。
【０００３】
ここで、移動通信端末からサーバまでの全てのノードがアイドル状態にある場合には、上述した無線コネクションとセッションは解放される。したがって、この状態から移動通信端末とサーバとの間でアプリケーションレベルのデータを送受信する場合には、無線コネクションおよびセッションを確立させる必要がある。しかしながら、これらの確立手順には時間を要するため、タイムリーなデータを送受信する場合には、移動通信端末のユーザに十分な利便性を提供することができない。これに対して、常に無線コネクションおよびセッションを確立させていれば、移動通信端末とサーバとの間で迅速にデータを送受信することができる。しかしながら、データを送受信していない移動通信端末にまで無線コネクションを確立させてしまうと、貴重な無線リソースを無駄に使用することになる。
【０００４】
そこで、下記非特許文献１には、無線コネクションを解放し、セッションを確立させたまま維持させる状態（Preservation）に関する技術が開示されている。これにより、無線リソースを有効に利用させることができるとともに、予めセッションを確立させておくため、完全なアイドル状態にある場合と比較して、データの送受信を開始するまでの時間を短縮させることができる。
【非特許文献１】３ＧＰＰ  ＴＳ２３．０６０  “General Packet Radio Service (GPRS); Service description; Stage 2”  “http://inetserv.ttc.or.jp/j/document_list/free/TS/TS-3GA-23.060(Rel6)v6.9.0.pdf”
【発明の開示】
【発明が解決しようとする課題】
【０００５】
ところが、移動通信端末等の各ノードは、例えば、ノードごとに設定され得るタイマのタイムアウトによって強制的にセッションが解放されてしまう場合がある。この場合には、一部のノードのみ、セッションが解放された状態となり、各ノード間で認識しているセッション状態が不一致となる。ここで、セッション状態が予め確立されている場合と未確立の場合とでは、アプリケーションデータの送受信を開始する前に処理される手順が異なる。したがって、各ノード間でセッション状態が不一致である場合には、移動通信端末からの発信や移動端末での着信が失敗してしまう可能性がある。具体的に説明すると、例えば、移動通信端末以外のノードでセッションが強制的に解放された場合には、移動通信端末の着信が失敗してしまう可能性がある。
【０００６】
そこで、本発明は、上述した課題を解決するために、移動通信端末における着信失敗を回避させることができ、ユーザの利便性を向上させることができるパケット中継装置を提供することを目的とする。
【課題を解決するための手段】
【０００７】
本発明のパケット中継装置は、移動通信端末におけるパケット通信を中継するパケット中継装置であって、移動通信端末との間のセッション状態を管理する端末状態管理手段と、移動通信端末に対して送信した呼出信号に対する呼出応答信号を受信する受信手段と、受信手段により受信された呼出応答信号に含まれる移動通信端末側で管理されているセッション状態と、端末状態管理手段により管理されている上記セッション状態とに基づいて、双方のセッション状態が不一致であり、かつ、移動通信端末側のセッション状態が確立状態であるか否かを判定する判定手段と、判定手段により、双方のセッション状態が不一致であり、かつ、移動通信端末側で管理されているセッション状態が確立状態であると判定された場合に、移動通信端末に対してセッション解放指示信号を送信する送信手段と、送信手段によりセッション解放指示信号が送信された後に、呼出信号を再送信する再送信手段とを備えることを特徴とする。
【０００８】
この発明によれば、移動通信端末で管理されているセッション状態が確立状態であり、パケット中継装置で管理されているセッション状態が未確立状態である場合であっても、移動通信端末のセッション状態を解放させてから、再度、移動通信端末に対して呼出信号を送信することができる。したがって、移動通信端末における着信失敗を回避させることができ、ユーザの利便性を向上させることができる。
【０００９】
本発明のパケット中継装置において、上記呼出応答信号には、再送信手段により再送信された呼出信号に対する呼出応答信号も含むことが好ましい。
【００１０】
このようにすれば、再送信された呼出信号に対する呼出応答信号に含まれるセッション状態を用いて、再度、双方のセッション状態の判定を行うことができる。したがって、例えば、セッション解放指示信号が移動通信端末に受信されなかった場合であっても、再度、セッション解放指示信号を送信させることが可能となり、着信失敗をより高い精度で回避させることができる。
【００１１】
本発明のパケット中継装置において、判定手段により、双方のセッション状態が一致する、または、移動通信端末側で管理されている前記セッション状態が未確立状態であると判定された場合に、不一致カウンタをカウントアップするカウントアップ手段をさらに備え、上記判定手段は、双方のセッション状態が不一致であり、かつ、移動通信端末側で管理されているセッション状態が確立状態であると判定した場合に、さらに、カウントアップ手段によりカウントアップされた不一致カウンタの値が、所定の閾値未満であるか否かを判定し、上記送信手段は、判定手段により不一致カウンタの値が所定の閾値未満であると判定された場合にのみ、セッション解放指示信号を送信することが好ましい。
【００１２】
このようにすれば、不一致カウンタの値が、所定の閾値を超えた場合には、再判定処理を行わないこととすることができる。したがって、再判定の無限ループを防止することができる。
【発明の効果】
【００１３】
本発明に係るパケット中継装置によれば、移動通信端末における着信失敗を回避させることができ、ユーザの利便性を向上させることができる。
【発明を実施するための最良の形態】
【００１４】
以下、本発明に係るパケット中継装置の実施形態を図面に基づき説明する。なお、各図において、同一要素には同一符号を付して重複する説明を省略する。
【００１５】
まず、本実施形態における移動パケット通信システムについて説明する。図１は、移動パケット通信システムのシステム構成を例示する図である。図１に示すように、移動パケット通信システム１は、移動通信端末１０と、移動体通信網に含まれるパケット中継装置２０と、外部ネットワークに含まれるサーバ３０とを有する。
【００１６】
移動通信端末１０は、自端末が在圏する無線エリアをカバーする基地局（不図示）と無線通信を行い、通話サービスあるいはパケット通信サービスを受ける端末であり、例えば、携帯電話機、簡易型携帯電話機（ＰＨＳ）、通信機能を有する携帯型情報端末（ＰＤＡ）等が該当する。この移動通信端末１０は、物理的には、ＣＰＵ、通信装置、メモリ、入力キー、ディスプレイ等を有している。
【００１７】
サーバ３０は、移動通信端末１０とアプリケーションレベルで通信を行う装置である。このサーバ３０は、物理的には、ＣＰＵ、通信装置、メモリ等を有している。
【００１８】
パケット中継装置２０は、移動通信端末１０と無線通信を行い、移動通信端末１０とサーバ３０との間の呼を制御する装置である。パケット中継装置２０は、例えば、移動体通信網が３ＧＰＰのＴＳ２３．０６０規格に基づくＧＰＲＳを採用する場合には、ＳＧＳＮが該当する。この場合には、移動通信端末とＳＧＳＮとの間に、ＲＮＣ（Radio Network Controller）／ＭＰＥ（Multimediasignal Processing Equipment）がさらに設けられ、ＳＧＳＮとサーバとの間には、ＧＧＳＮ（Gateway GPRS Support Node）およびＧＷ（Gateway）がさらに設けられることになる。
【００１９】
次に、移動パケット通信システム１でパケット通信が行われるしくみについて説明する。図２は、移動通信端末１０とパケット中継装置２０とサーバ３０との間に形成される通信レイヤを模式的に示した図である。移動通信端末１０とパケット中継装置２０は、低レイヤの物理的な接続として、無線コネクションのレイヤを用いて通信し、パケット中継装置２０とサーバ３０は、低レイヤの物理的な接続として、有線コネクションのレイヤを用いて通信する。この無線コネクションのレイヤおよび有線コネクションのレイヤの上位には、セッションのレイヤが位置する。このセッションのレイヤは、移動通信端末１０、パケット中継装置２０およびサーバ３０が、呼に対する通信用のリソースを確保するとともに、アプリケーションデータを送受信するための通信用のパラメータを保持することで確立される。移動通信端末１０とサーバ３０は、セッションのレイヤの上位に位置するアプリケーションのレイヤを用いて通信を行う。
【００２０】
ここで、無線コネクションとセッションの状態はそれぞれ独立しており、無線コネクションが未確立の状態であっても、セッションは確立された状態になり得る。この状態から、セッションの状態を変更させる場合や、アプリケーションのレイヤを用いて通信を行う場合には、最初に、移動通信端末１０とパケット中継装置２０との間の無線コネクションを確立させる必要がある。
【００２１】
次に、本発明の実施形態にかかるパケット中継装置２０の構成について説明する。
【００２２】
図３は、パケット中継装置２０の機能要素を例示する図である。パケット中継装置２０は、機能的には、端末状態管理部２１（端末状態管理手段）と、受信部２２（受信手段）と、判定部２３（判定手段）と、送信部２４（送信手段）と、再送信部２５（再送信手段）と、呼出情報管理部２６とを有する。
【００２３】
また、図４は、パケット中継装置２０のハードウェア構成を例示する図である。パケット中継装置２０は、物理的には、ＣＰＵ２０Ａ、ＲＡＭ２０Ｂ、ＲＯＭ２０Ｃ、および通信装置２０Ｄ等を含むコンピュータシステムとして構成されている。パケット中継装置２０に所定のコンピュータソフトウェアをインストールし、このコンピュータソフトウェアをＣＰＵ２０Ａに実行させることによって、図３に示す各機能構成が有する機能が実現される。
【００２４】
以下、図３を参照して、各機能要素について詳細に説明する。
【００２５】
端末状態管理部２１は、パケット中継装置２０と移動通信端末１０との間のセッション状態を、端末状態管理テーブル２１Ｔに登録して管理する。
【００２６】
ここで、図５を参照して、端末状態管理テーブル２１Ｔのデータ構成について説明する。端末状態管理テーブル２１Ｔは、データ項目として、例えば、端末ＩＤと、無線コネクション状態と、セッション状態と、呼出状態とを有する。端末ＩＤには、パケット中継装置２０が管理する移動通信端末１０を一意に特定するためのＩＤが格納される。無線コネクション状態には、パケット中継装置２０と移動通信端末１０との間の現在の無線コネクション状態を示すデータが格納される。例えば、無線コネクションが確立されている場合には“確立”が格納され、無線コネクションが解放されている場合には“未確立”が格納される。セッション状態には、パケット中継装置２０と移動通信端末１０との間の現在のセッション状態を示すデータが格納される。例えば、セッションが確立されている場合には“確立”が格納され、セッションが解放されている場合には“未確立”が格納される。呼出状態には、移動通信端末１０が再呼出待ちの対象であるか否かを示すデータが格納される。具体的には、例えば、移動通信端末１０への呼出情報がＲＡＭ２０Ｂに記憶されていないときには“通常”が格納され、移動通信端末１０への呼出情報がＲＡＭ２０Ｂに記憶されているときには“再呼出待”が格納される。
【００２７】
受信部２２は、移動通信端末１０に対して送信した呼出信号に対する呼出応答信号を受信する。
【００２８】
判定部２３は、受信部２２によって受信された呼出応答信号に含まれる移動通信端末側で管理されているセッション状態と、端末状態管理部２１によって管理されているセッション状態とに基づいて、双方のセッション状態が不一致であり、かつ、移動通信端末１０のセッション状態が“確立”状態であるか否かを判定する。
【００２９】
送信部２４は、判定部２３によって、双方のセッション状態が不一致であり、かつ、移動通信端末１０側のセッション状態が確立状態であると判定された場合に、移動通信端末１０に対してセッション解放指示信号を送信する。
【００３０】
再送信部２５は、送信部２４によってセッション解放指示信号が送信された後に、呼出信号を再送信する。
【００３１】
呼出情報管理部２６は、移動通信端末１０宛の発呼信号に含まれる移動通信端末１０の端末ＩＤおよびサーバ３０の装置ＩＤを呼出情報としてＲＡＭ２０Ｂ上に記憶させたり、ＲＡＭ２０Ｂ上から削除させる。
【００３２】
次に、移動通信端末１０の機能構成について説明する。移動通信端末１０は、記憶部と信号生成部と送信部とを有する。記憶部は、自端末とパケット中継装置２０との間の無線コネクション状態とセッション状態をメモリに記憶させる。信号生成部は、メモリ上で管理されているセッション状態をメモリから読み出して、呼出応答信号に組み込む。送信部は、呼出信号に対する応答として、呼出応答信号をパケット中継装置２０に送信する。
【００３３】
次に、図６を参照して、本実施形態における移動パケット通信システム１の動作について説明する。なお、本動作では、初期状態として、パケット中継装置２０の端末状態管理テーブル２１Ｔの移動通信端末１０に対応する無線コネクション状態には“未確立”が格納され、セッション状態には“確立”が格納されていることとする。
【００３４】
まず、サーバ３０は、移動通信端末１０宛の発呼信号をパケット中継装置２０に送信する（ステップＳ１）。
【００３５】
次に、パケット中継装置２０の呼出情報管理部２６は、発呼信号に含まれる移動通信端末１０の端末ＩＤおよびサーバ３０の装置ＩＤを呼出情報としてＲＡＭ２０Ｂ上に記憶させる（ステップＳ２）。
【００３６】
次に、パケット中継装置２０は、基地局を介して呼出信号を移動通信端末１０に送信する（ステップＳ３）。パケット中継装置２０の端末状態管理部２１は、端末状態管理テーブル２１Ｔの移動通信端末１０に対応する呼出状態を“再呼出待”に設定する（ステップＳ４）。
【００３７】
次に、移動通信端末１０は、自端末のメモリ上で管理されているパケット中継装置２０との間のセッション状態をメモリから読み出して、呼出応答信号に組み込む。そして、移動通信端末１０は、呼出信号に対する応答として、呼出応答信号をパケット中継装置２０に送信する（ステップＳ５）。
【００３８】
次に、パケット中継装置２０は、受信部２２によって受信された呼出応答信号が、正当な移動通信端末から送信された信号であるか否かを確認するために、移動通信端末１０との間で所定のメッセージを送受信して認証処理を実行する（ステップＳ６）。
【００３９】
次に、パケット中継装置２０の判定部２３は、呼出応答信号に含まれる移動通信端末１０側で管理されているセッション状態と、端末状態管理テーブル２１Ｔに格納されている移動通信端末１０のセッション状態とに基づいて、双方のセッション状態が不一致であり、かつ、移動通信端末１０側で管理されているセッション状態が“確立”状態であるか否かを判定する（ステップＳ７）。この判定がＮＯである場合（ステップＳ７；ＮＯ）に、パケット中継装置２０は、処理を後述するステップＳ１３に移行する。
【００４０】
一方、ステップＳ７における判定がＹＥＳである場合（ステップＳ７；ＹＥＳ）に、パケット中継装置２０の送信部２４は、移動通信端末１０に対してセッション解放指示信号を送信する（ステップＳ８）。
【００４１】
次に、移動通信端末１０は、パケット中継装置２０との間のセッションを解放する（ステップＳ９）。これにより、移動通信端末のメモリ上で管理されているパケット中継装置２０との間のセッション状態が“未確立”状態に書き換えられる。
【００４２】
次に、パケット中継装置２０の再送信部２５は、ＲＡＭ２０Ｂ上に記憶された呼出情報を参照して、この呼出情報に対応する呼出信号を、移動通信端末１０に再送信する（ステップＳ１０）。
【００４３】
次に、移動通信端末１０は、自端末のメモリ上で管理されているパケット中継装置２０との間のセッション状態をメモリから読み出して、呼出応答信号に組み込むとともに、この呼出応答信号をパケット中継装置２０に送信する（ステップＳ１１）。
【００４４】
次に、パケット中継装置２０は、受信部２２によって受信された呼出応答信号が、正当な移動通信端末から送信された信号であるか否かを確認するために、移動通信端末１０との間で所定のメッセージを送受信して認証処理を実行する（ステップＳ１２）。
【００４５】
次に、パケット中継装置２０の呼出情報管理部２６は、ＲＡＭ２０Ｂ上に記憶させた移動通信端末１０に対応する呼出情報を削除する（ステップＳ１３）。
【００４６】
次に、パケット中継装置２０の端末状態管理部２１は、端末状態管理テーブル２１Ｔの移動通信端末１０に対応する呼出状態を“通常”に設定する（ステップＳ１４）。
【００４７】
次に、パケット中継装置２０は、移動通信端末１０との間で所定のメッセージを送受信してセッション確立処理を実行する（ステップＳ１５）。
【００４８】
このセッション確立処理について、具体的に説明する。まず、パケット中継装置２０は、移動通信端末１０に対して秘匿処理を実行してセッション確立指示信号を送信する。次に、移動通信端末１０は、パケット中継装置２０に対してセッション確立要求信号を送信する。次に、パケット中継装置２０は、サーバ３０に対してセッション確立処理を実行する。このセッション確立処理が完了した後に、パケット中継装置２０は、移動通信端末１０に対してセッション確立応答信号を送信する。
【００４９】
以上のように、本実施形態におけるパケット中継装置２０によれば、移動通信端末１０で管理されているセッション状態が“確立”状態であり、パケット中継装置２０で管理されているセッション状態が“未確立”状態である場合であっても、移動通信端末１０のセッション状態を解放させてから、再度、移動通信端末１０に対して呼出信号を送信することができる。したがって、移動通信端末１０における着信失敗を回避させることができ、ユーザの利便性を向上させることができる。
【００５０】
[変形例]
【００５１】
次に、本実施形態におけるパケット中継装置の変形例について説明する。上述した実施形態では、パケット中継装置２０から移動通信端末１０に対してセッション解放指示信号が送信された場合に、移動通信端末１０でセッションが正常に解放されることを前提としている。しかしながら、例えば、通信エラー等によってセッション解放指示信号が移動通信端末１０に送信されない等の不測の事態が生じる可能性もある。したがって、本変形例では、再呼び出しをした後に、再度、双方のセッション状態の判定を行うこととした。これにより、例えば、セッション解放指示信号が移動通信端末に受信されなかった場合であっても、再度、セッション解放指示信号を送信させることが可能となるため、移動通信端末における着信失敗をより高い精度で回避することができる。さらに、再判定の無限ループを防止するために、カウンタを設け、カウンタの値が設定回数を超えた場合には再判定を行わないこととした。
【００５２】
図７を参照して変形例におけるパケット中継装置の機能構成について説明する。図７に示すように、変形例におけるパケット中継装置２０Ｓは、カウントアップ部２７（カウントアップ手段）をさらに有している点で実施形態におけるパケット中継装置２０と異なる。また、カウントアップ部２７を追加したことにより生じる機能が、判定部２３と送信部２４にさらに付加されている点についても異なる。それ以外の構成については、実施形態におけるパケット中継装置２０の構成と同様であるので、各構成要素には同一の符合を付しその説明は省略すると共に、以下において実施形態との相違点について詳述する。
【００５３】
カウントアップ部２７は、判定部２３によって、双方のセッション状態が一致する、または、移動通信端末１０側のセッション状態が“未確立”状態であると判定された場合に、不一致カウンタの値をカウントアップする。
【００５４】
判定部２３は、双方のセッション状態が不一致であり、かつ、移動通信端末１０側のセッション状態が確立状態であると判定した場合に、さらに、カウントアップ部２７によってカウントアップされた不一致カウンタの値が、所定の閾値未満であるか否かを判定する。
【００５５】
送信部２４は、判定部２３によって、双方のセッション状態が不一致であり、かつ、移動通信端末１０側のセッション状態が確立状態であり、かつ、不一致カウンタの値が所定の閾値未満であると判定された場合に、セッション解放指示信号を移動通信端末１０に送信する。
【００５６】
次に、図８を参照して、変形例の動作について説明する。変形例における動作は、図６に示す実施形態における各処理ステップのうちのステップＳ７〜ステップＳ１２までの処理ステップに対応する部分が異なる。すなわち、図６に示す各処理ステップのうちのステップＳ１〜ステップＳ６までの処理ステップ、およびステップＳ１３〜ステップＳ１５までの処理ステップについては実施形態と同一である。したがって、以下においては、図６に示す実施形態における各処理ステップのうちのステップＳ７〜ステップＳ１２までの処理ステップに対応する部分のみについてのみ説明することにする。
【００５７】
まず、パケット中継装置２０Ｓは、不一致カウンタの値を０クリア（初期化）する。
【００５８】
次に、パケット中継装置２０Ｓの判定部２３は、呼出応答信号に含まれる移動通信端末１０側で管理されているセッション状態と、端末状態管理テーブル２１Ｔに格納されている移動通信端末１０のセッション状態とに基づいて、双方のセッション状態が不一致であり、かつ、移動通信端末１０側で管理されているセッション状態が“確立”状態であるか否かを判定する（ステップＳ２２）。この判定がＮＯである場合（ステップＳ２２；ＮＯ）に、パケット中継装置２０Ｓは、処理を図６に示すステップＳ１３に移行する。
【００５９】
一方、ステップＳ２２における判定がＹＥＳである場合（ステップＳ２２；ＹＥＳ）に、パケット中継装置２０Ｓのカウントアップ部２７は、不一致カウンタの値をカウントアップする（ステップＳ２３）。
【００６０】
次に、パケット中継装置２０Ｓの送信部２４は、移動通信端末１０に対してセッション解放指示信号を送信する（ステップＳ２４）。
【００６１】
次に、移動通信端末１０は、パケット中継装置２０Ｓとの間のセッションを解放する（ステップＳ２５）。
【００６２】
次に、パケット中継装置２０Ｓの再送信部２５は、ＲＡＭ２０Ｂ上に記憶された呼出情報を参照して、この呼出情報に対応する呼出信号を、移動通信端末１０に再送信する（ステップＳ２６）。
【００６３】
次に、移動通信端末１０は、自端末のメモリ上で管理されているパケット中継装置２０Ｓとの間のセッション状態をメモリから読み出して、呼出応答信号に組み込むとともに、この呼出応答信号をパケット中継装置２０Ｓに送信する（ステップＳ２７）。
【００６４】
次に、パケット中継装置２０Ｓは、受信部２２によって受信された呼出応答信号が、正当な移動通信端末から送信された信号であるか否かを確認するために、移動通信端末１０との間で所定のメッセージを送受信して認証処理を実行する（ステップＳ２８）。
【００６５】
次に、パケット中継装置２０Ｓの判定部２３は、呼出応答信号に含まれる移動通信端末１０側で管理されているセッション状態と、端末状態管理テーブル２１Ｔに格納されている移動通信端末１０のセッション状態とに基づいて、双方のセッション状態が不一致であり、かつ、移動通信端末１０側で管理されているセッション状態が“確立”状態であり、かつ、カウントアップ部２７によってカウントアップされた不一致カウンタの値が、所定の閾値未満であるか否かを判定する（ステップＳ２９）。この判定がＮＯである場合（ステップＳ２９；ＮＯ）に、パケット中継装置２０Ｓは、処理を図６に示すステップＳ１３に移行する。
【００６６】
一方、ステップＳ２９における判定がＹＥＳである場合（ステップＳ２９；ＹＥＳ）に、パケット中継装置２０Ｓは、処理を上述したステップＳ２３に移行する。
【図面の簡単な説明】
【００６７】
【図１】移動パケット通信システムのシステム構成を例示する図である。
【図２】移動パケット通信システムの各ノード間に形成される通信レイヤを模式的に示した図である。
【図３】実施形態におけるパケット中継装置の機能要素を例示する図である。
【図４】パケット中継装置のハードウェア構成を例示する図である。
【図５】端末状態管理テーブルのデータ構成を例示する図である。
【図６】実施形態における移動パケット通信システムの動作を例示するシーケンス図である。
【図７】変形例におけるパケット中継装置の機能要素を例示する図である。
【図８】変形例における移動パケット通信システムの動作を例示するシーケンス図である。
【符号の説明】
【００６８】
１・・・移動パケット通信システム、１０・・・移動通信端末、２０，２０Ｓ・・・パケット中継装置、２１・・・端末状態管理部、２１Ｔ・・・端末状態管理テーブル、２２・・・受信部、２３・・・判定部、２４・・・送信部、２５・・・再送信部、２６・・・呼出情報管理部、２７・・・カウントアップ部、２０Ａ・・・ＣＰＵ、２０Ｂ・・・ＲＡＭ、２０Ｃ・・・ＲＯＭ、２０Ｄ・・・通信装置、３０・・・サーバ。
【図１】
2007208517.tif 000003
【図２】
2007208517.tif 000004
【図３】
2007208517.tif 000005
【図５】
2007208517.tif 000006
【図６】
2007208517.tif 000007
【図７】
2007208517.tif 000008
【図８】
2007208517.tif 000009
【図４】
2007208517.tif 000010